(57)【要約】      （修正有）【課題】簡素で軽量かつ少ない部品で構成され、着脱が容易で保管などは専用の備品が不要で、ストレッチフィルムの特徴である引っ張りつよさと、収縮する際の密着力を引き出す機構をもち、梱包物へのストレッチフィルムの巻き付け作業が容易なストレッチフィルムの手巻きロ−ルホルダ−を提供する。【解決手段】樹脂系の素材で成形した可動筒ｋｔと内筒ｕｔとこれらを係合する柄ｅ、及び外筒ｓｔの４点の簡素で軽量な部品を組み立てて、ストレッチフィルムのロ−ルの紙管ｋｋに挿入している外筒ｓｔの内側で、可動筒ｋｔが自在に回転するストレッチフィルムの手巻きロ−ルホルダ−で、梱包物へのストレッチフィルムの巻き付け中に、ロ−ルホルダ−の回転を任意に止める機構を備え、止めてストレッチフィルムを引っ張ることで、ストレッチフィルムの特性の引っ張り強さを活かして、収縮する際の密着力を引き出して、梱包物への強い巻き付けが出来る。【選択図】図１
0003214425.tif 000002
【実用新案登録請求の範囲】
【請求項１】
樹脂系の素材で成形した可動筒ｋｔと内筒ｕｔとこれらを係合する柄ｅ、及び外筒ｓｔの４点の簡素で軽量な部品を組み立てて、ストレッチフィルムのロ−ルの紙管ｋｋに挿入して使用するストレッチフィルムの手巻きロ−ルホルダ−で、可動筒ｋｔの底部に設けた穴ａに挿入して貫通させた柄ｅを、そのまま内筒ｕｔの、補強板ｈｏに支えられている支柱ｓｕの孔ａｎに挿入して貫通させ、柄ｅの先端に備えている鍔機構ｔｂ2により可動筒ｋｔと内筒ｕｔとを係合させてから、この係合したままの可動筒ｋｔと内筒ｕｔを、ストレッチフィルムのロ−ルの紙管ｋｋに挿入した外筒ｓｔの中に挿入してから、柄ｅの柄頭ｅｈを下押して、可動筒ｋｔの下部の外周に設けた半球状の円環ｅｋ2が、外筒ｓｔの下部の内周に設けている半球状の円環ｅｋ1を越えるまで可動筒ｋｔを下押して、可動筒ｋｔと外筒ｓｔを緩篏させたのち、内筒ｕｔの支柱ｓｕの孔ａｎに挿入した柄ｅの柄頭ｅｈを下押して内筒ｕｔを下押して、外筒ｓｔの内周の下部に設けた内側向きの片側勾配角θ１を有する構造と外筒ｓｔの下部に弾性を持たせるために施された切欠部ｓｋを有する構造により、内筒ｕｔが下押されるに連れて外筒ｓｔの下部が押圧され、外筒ｓｔは拡底して行き、内径の異なる紙管ｋｋにも緩むことなく強く圧着する。さらに可動筒ｋｔの上部の円周部ｋｔｈ1の屈曲外周部ｋｔｈ2の内側に設けた鍔機構ｔｂ1と、可動筒ｋｔの上部の円周部ｋｔｈ1の屈曲外周部ｋｔｈ2に弾性を持たせるために施された切欠部ｓの構造により、可動筒ｋｔを外筒ｓｔの中に押し下げて、外筒ｓｔに可動筒ｋｔを緩く係合させることで、紙管ｋｋと強く圧着している外筒ｓｔの内側で、可動筒ｋｔが自在に回転するストレッチフィルムの手巻きロ−ルホルダ−は、又、紙筒ｋｋに挿入して使用している状態の可動筒ｋｔを互いに反対方向に引っ張ると、可動筒ｋｔの上部円周部ｋｔｈ1の屈曲外周部ｋｔｈ2の内側に設けた鍔機構ｔｂ1により、紙管ｋｋに強く圧着されている外筒ｓｔの上部円周部ｓｔｈの縁と摩擦が生じて、外筒ｓｔと紙管ｋｋ及びストレッチフィルムのロ−ルの回転を任意のところで止めることが出来る。このことにより梱包物への巻き付け作業の任意のところで、ストレッチフィルムのロ−ルの回転を一時的に止めて、ストレッチフィルムを引っ張ることが出来ることから、ストレチフィルムの引っ張り強さを活かして、収縮する際の密着力を引き出すことが出来ることを特徴とするストレッチフィルムの手巻きロ−ルホルダ−である。
【請求項２】
樹脂系の素材で成形した可動筒ｋｔと内筒ｕｔとこれらを係合する柄ｅ、及び外筒ｓｔの４点の簡素で軽量な部品を組み立てて、ストレッチフィルムのロ−ルの紙管ｋｋに挿入して使用するストレッチフィルムの手巻きロ−ルホルダ−で、可動筒ｋｔの底部に設けた穴ａに挿入して貫通させた柄ｅを、そのまま内筒ｕｔの、補強板ｈｏに支えられている支柱ｓｕの孔ａｎに挿入して貫通させ、柄ｅの先端に備えている鍔機構ｔｂ2により可動筒ｋｔと内筒ｕｔとを係合させてから、この係合したままの可動筒ｋｔと内筒ｕｔを、ストレッチフィルムのロ−ルの紙管ｋｋに挿入した外筒ｓｔの中に挿入してから、柄ｅの柄頭ｅｈを下押して、可動筒ｋｔの下部の外周に設けた半球状の円環ｅｋ2が、外筒ｓｔの下部の内周に設けている半球状の円環ｅｋ1を越えるまで可動筒ｋｔを下押して、可動筒ｋｔと外筒ｓｔを緩篏させたのち、内筒ｕｔの支柱ｓｕの孔ａｎに挿入した柄ｅの柄頭ｅｈを下押して内筒ｕｔを下押して、外筒ｓｔの内周の下部に設けた内側向きの片側勾配角θ１を有する構造と外筒ｓｔの下部に弾性を持たせるために施された切欠部ｓｋを有する構造により、内筒ｕｔが下押されるに連れて外筒ｓｔの下部が押圧され、外筒ｓｔは拡底して行き、内径の異なる紙管ｋｋにも緩むことなく強く圧着する。さらに可動筒ｋｔの上部の円周部ｋｔｈ1の屈曲外周部ｋｔｈ2の内側に設けた鍔機構ｔｂ1と、可動筒ｋｔの上部の円周部ｋｔｈ1の屈曲外周部ｋｔｈ2に弾性を持たせるために施された切欠部ｓの構造により、可動筒ｋｔを外筒ｓｔの中に押し下げて、外筒ｓｔに可動筒ｋｔを緩く係合させることで、紙管ｋｋと強く圧着している外筒ｓｔの内側で、可動筒ｋｔが自在に回転するストレッチフィルムの手巻きロ−ルホルダ−で、内径の異なる紙管ｋｋのストレッチフィルムでも使用することが出来ることを特徴とする請求項１のストレッチフィルムの手巻きロ−ルホルダ−である。
【請求項３】
樹脂系の素材で成形した可動筒ｋｔと内筒ｕｔとこれらを係合する柄ｅ、及び外筒ｓｔの４点の簡素で軽量な部品を組み立てて、ストレッチフィルムのロ−ルの紙管ｋｋに挿入して使用するストレッチフィルムの手巻きロ−ルホルダ−で、可動筒ｋｔの底部に設けた穴ａに挿入して貫通させた柄ｅを、そのまま内筒ｕｔの、補強板ｈｏに支えられている支柱ｓｕの孔ａｎに挿入して貫通させ、柄ｅの先端に備えている鍔機構ｔｂ2により可動筒ｋｔと内筒ｕｔとを係合させてから、この係合したままの可動筒ｋｔと内筒ｕｔを、ストレッチフィルムのロ−ルの紙管ｋｋに挿入した外筒ｓｔの中に挿入してから、柄ｅの柄頭ｅｈを下押して、可動筒ｋｔの下部の外周に設けた半球状の円環ｅｋ2が、外筒ｓｔの下部の内周に設けている半球状の円環ｅｋ1を越えるまで可動筒ｋｔを下押して、可動筒ｋｔと外筒ｓｔを緩篏させたのち、内筒ｕｔの支柱ｓｕの孔ａｎに挿入した柄ｅの柄頭ｅｈを下押して内筒ｕｔを下押して、外筒ｓｔの内周の下部に設けた内側向きの片側勾配角θ１を有する構造と外筒ｓｔの下部に弾性を持たせるために施された切欠部ｓｋを有する構造により、内筒ｕｔが下押されるに連れて外筒ｓｔの下部が押圧され、外筒ｓｔは拡底して行き、内径の異なる紙管ｋｋにも緩むことなく強く圧着する。さらに可動筒ｋｔの上部の円周部ｋｔｈ1の屈曲外周部ｋｔｈ2の内側に設けた鍔機構ｔｂ1と、可動筒ｋｔの上部の円周部ｋｔｈ1の屈曲外周部ｋｔｈ2に弾性を持たせるために施された切欠部ｓの構造により、可動筒ｋｔを外筒ｓｔの中に押し下げて、外筒ｓｔに可動筒ｋｔを緩く係合させることで、紙管ｋｋと強く圧着している外筒ｓｔの内側で、可動筒ｋｔが自在に回転するストレッチフィルムの手巻きロ−ルホルダ−で、簡素で軽量で少ない部品で構成されており、製造工程も少ない仕様にして製品コストも安価に抑えることが出来ることを特徴とする請求項１のストレッチフィルムの手巻きロ−ルホルダ−である。
【請求項４】
樹脂系の素材で成形した可動筒ｋｔと内筒ｕｔとこれらを係合する柄ｅ、及び外筒ｓｔの４点の簡素で軽量な部品を組み立てて、ストレッチフィルムのロ−ルの紙管ｋｋに挿入して使用するストレッチフィルムの手巻きロ−ルホルダ−で、可動筒ｋｔの底部に設けた穴ａに挿入して貫通させた柄ｅを、そのまま内筒ｕｔの、補強板ｈｏに支えられている支柱ｓｕの孔ａｎに挿入して貫通させ、柄ｅの先端に備えている鍔機構ｔｂ2により可動筒ｋｔと内筒ｕｔとを係合させてから、この係合したままの可動筒ｋｔと内筒ｕｔを、ストレッチフィルムのロ−ルの紙管ｋｋに挿入した外筒ｓｔの中に挿入してから、柄ｅの柄頭ｅｈを下押して、可動筒ｋｔの下部の外周に設けた半球状の円環ｅｋ2が、外筒ｓｔの下部の内周に設けている半球状の円環ｅｋ1を越えるまで可動筒ｋｔを下押して、可動筒ｋｔと外筒ｓｔを緩篏させたのち、内筒ｕｔの支柱ｓｕの孔ａｎに挿入した柄ｅの柄頭ｅｈを下押して内筒ｕｔを下押して、外筒ｓｔの内周の下部に設けた内側向きの片側勾配角θ１を有する構造と外筒ｓｔの下部に弾性を持たせるために施された切欠部ｓｋを有する構造により、内筒ｕｔが下押されるに連れて外筒ｓｔの下部が押圧され、外筒ｓｔは拡底して行き、内径の異なる紙管ｋｋにも緩むことなく強く圧着する。さらに可動筒ｋｔの上部の円周部ｋｔｈ1の屈曲外周部ｋｔｈ2の内側に設けた鍔機構ｔｂ1と、可動筒ｋｔの上部の円周部ｋｔｈ1の屈曲外周部ｋｔｈ2に弾性を持たせるために施された切欠部ｓの構造により、可動筒ｋｔを外筒ｓｔの中に押し下げて、外筒ｓｔに可動筒ｋｔを緩く係合させることで、紙管ｋｋと強く圧着している外筒ｓｔの内側で、可動筒ｋｔが自在に回転するストレッチフィルムの手巻きロ−ルホルダ−で、ストレッチフィルムのロ−ル交換に熟練度を要さず、交換時間も少なく容易にロ−ルの交換が出来ることを特徴とする請求項１のストレッチフィルムの手巻きロ−ルホルダ−である。
【請求項５】
樹脂系の素材で成形した可動筒ｋｔと内筒ｕｔとこれらを係合する柄ｅ、及び外筒ｓｔの４点の簡素で軽量な部品を組み立てて、ストレッチフィルムのロ−ルの紙管ｋｋに挿入して使用するストレッチフィルムの手巻きロ−ルホルダ−で、可動筒ｋｔの底部に設けた穴ａに挿入して貫通させた柄ｅを、そのまま内筒ｕｔの、補強板ｈｏに支えられている支柱ｓｕの孔ａｎに挿入して貫通させ、柄ｅの先端に備えている鍔機構ｔｂ2により可動筒ｋｔと内筒ｕｔとを係合させてから、この係合したままの可動筒ｋｔと内筒ｕｔを、ストレッチフィルムのロ−ルの紙管ｋｋに挿入した外筒ｓｔの中に挿入してから、柄ｅの柄頭ｅｈを下押して、可動筒ｋｔの下部の外周に設けた半球状の円環ｅｋ2が、外筒ｓｔの下部の内周に設けている半球状の円環ｅｋ1を越えるまで可動筒ｋｔを下押して、可動筒ｋｔと外筒ｓｔを緩篏させたのち、内筒ｕｔの支柱ｓｕの孔ａｎに挿入した柄ｅの柄頭ｅｈを下押して内筒ｕｔを下押して、外筒ｓｔの内周の下部に設けた内側向きの片側勾配角θ１を有する構造と外筒ｓｔの下部に弾性を持たせるために施された切欠部ｓｋを有する構造により、内筒ｕｔが下押されるに連れて外筒ｓｔの下部が押圧され、外筒ｓｔは拡底して行き、内径の異なる紙管ｋｋにも緩むことなく強く圧着する。さらに可動筒ｋｔの上部の円周部ｋｔｈ1の屈曲外周部ｋｔｈ2の内側に設けた鍔機構ｔｂ1と、可動筒ｋｔの上部の円周部ｋｔｈ1の屈曲外周部ｋｔｈ2に弾性を持たせるために施された切欠部ｓの構造により、可動筒ｋｔを外筒ｓｔの中に押し下げて、外筒ｓｔに可動筒ｋｔを緩く係合させることで、紙管ｋｋと強く圧着している外筒ｓｔの内側で、可動筒ｋｔが自在に回転するストレッチフィルムの手巻きロ−ルホルダ−で、専用の棚などの特別な管理用の備品や、保管と管理するためのスペ−スを要さず、ストレッチフィルムのロールに装着したまま、ストレッチフィルムのロ−ルが納品された時の納品用ダンボ−ル箱ｄｈに収納して保管と管理が出来ることを特徴とする請求項１のストレッチフィルムの手巻きロ−ルホルダ−である。
【請求項６】
樹脂系の素材で成形した可動筒ｋｔと内筒ｕｔとこれらを係合する柄ｅ、及び外筒ｓｔの４点の簡素で軽量な部品を組み立てて、ストレッチフィルムのロ−ルの紙管ｋｋに挿入して使用するストレッチフィルムの手巻きロ−ルホルダ−で、可動筒ｋｔの底部に設けた穴ａに挿入して貫通させた柄ｅを、そのまま内筒ｕｔの、補強板ｈｏに支えられている支柱ｓｕの孔ａｎに挿入して貫通させ、柄ｅの先端に備えている鍔機構ｔｂ2により可動筒ｋｔと内筒ｕｔとを係合させてから、この係合したままの可動筒ｋｔと内筒ｕｔを、ストレッチフィルムのロ−ルの紙管ｋｋに挿入した外筒ｓｔの中に挿入してから、柄ｅの柄頭ｅｈを下押して、可動筒ｋｔの下部の外周に設けた半球状の円環ｅｋ2が、外筒ｓｔの下部の内周に設けている半球状の円環ｅｋ1を越えるまで可動筒ｋｔを下押して、可動筒ｋｔと外筒ｓｔを緩篏させたのち、内筒ｕｔの支柱ｓｕの孔ａｎに挿入した柄ｅの柄頭ｅｈを下押して内筒ｕｔを下押して、外筒ｓｔの内周の下部に設けた内側向きの片側勾配角θ１を有する構造と外筒ｓｔの下部に弾性を持たせるために施された切欠部ｓｋを有する構造により、内筒ｕｔが下押されるに連れて外筒ｓｔの下部が押圧され、外筒ｓｔは拡底して行き、内径の異なる紙管ｋｋにも緩むことなく強く圧着する。さらに可動筒ｋｔの上部の円周部ｋｔｈ1の屈曲外周部ｋｔｈ2の内側に設けた鍔機構ｔｂ1と、可動筒ｋｔの上部の円周部ｋｔｈ1の屈曲外周部ｋｔｈ2に弾性を持たせるために施された切欠部ｓの構造により、可動筒ｋｔを外筒ｓｔの中に押し下げて、外筒ｓｔに可動筒ｋｔを緩く係合させることで、紙管ｋｋと強く圧着している外筒ｓｔの内側で、可動筒ｋｔが自在に回転することを特徴とする請求項１のストレッチフィルムの手巻きロ−ルホルダ−である。
【請求項７】
樹脂系の素材で成形した可動筒ｋｔと内筒ｕｔとこれらを係合する柄ｅ、及び外筒ｓｔの４点の簡素で軽量な部品を組み立てて、ストレッチフィルムのロ−ルの紙管ｋｋに挿入して使用するストレッチフィルムの手巻きロ−ルホルダ−で、可動筒ｋｔの底部に設けた穴ａに挿入して貫通させた柄ｅを、そのまま内筒ｕｔの、補強板ｈｏに支えられている支柱ｓｕの孔ａｎに挿入して貫通させ、柄ｅの先端に備えている鍔機構ｔｂ2により可動筒ｋｔと内筒ｕｔとを係合させてから、この係合したままの可動筒ｋｔと内筒ｕｔを、ストレッチフィルムのロ−ルの紙管ｋｋに挿入した外筒ｓｔの中に挿入してから、柄ｅの柄頭ｅｈを下押して、可動筒ｋｔの下部の外周に設けた半球状の円環ｅｋ2が、外筒ｓｔの下部の内周に設けている半球状の円環ｅｋ1を越えるまで可動筒ｋｔを下押して、可動筒ｋｔと外筒ｓｔを緩篏させたのち、内筒ｕｔの支柱ｓｕの孔ａｎに挿入した柄ｅの柄頭ｅｈを下押して内筒ｕｔを下押して、外筒ｓｔの内周の下部に設けた内側向きの片側勾配角θ１を有する構造と外筒ｓｔの下部に弾性を持たせるために施された切欠部ｓｋを有する構造により、内筒ｕｔが下押されるに連れて外筒ｓｔの下部が押圧され、外筒ｓｔは拡底して行き、内径の異なる紙管ｋｋにも緩むことなく強く圧着する。さらに可動筒ｋｔの上部の円周部ｋｔｈ1の屈曲外周部ｋｔｈ2の内側に設けた鍔機構ｔｂ1と、可動筒ｋｔの上部の円周部ｋｔｈ1の屈曲外周部ｋｔｈ2に弾性を持たせるために施された切欠部ｓの構造により、可動筒ｋｔを外筒ｓｔの中に押し下げて、外筒ｓｔに可動筒ｋｔを緩く係合させることで、紙管ｋｋと強く圧着している外筒ｓｔの内側で、可動筒ｋｔが自在に回転するストレッチフィルムの手巻きロ−ルホルダ−で、ゴム被膜の手袋を装着したままで使用が出来ることを特徴とする請求項１のストレッチフィルムの手巻きロ−ルホルダ−である。
【考案の詳細な説明】
【技術分野】
【０００１】
本考案は、ストレッチフィルムの手巻きロールホルダ−の形状に関する。
【背景技術】
【０００２】
従来からパレットに積み込まれた梱包物の荷崩れ防止に、ストレッチフィルムが用いられている。ストレッチフィルムの特徴として、軽量で、引っ張り強さがあり、引っ張ることで収縮する際に密着力が増すことから、梱包物が固定化されて、梱包物の荷崩れ防止に適した資材である。
【０００３】
このストレッチフィルムは、素材の種類、及び製造企業ごとに素材の厚さ、長さ、幅によりストレッチフィルムのロ−ル１本当たりの質量は約２．５ｋｇから６．５ｋｇほど有り、またストレッチフィルムを巻き取る紙管の内径も７６ｍｍから７７．２ｍｍと仕様もまちまちである。
【０００４】
ストレッチフィルムの利用の手順は、基本的には、初めにストレッチフィルムの端を梱包物の一部に挟み込み、ストレッチフィルムのロ−ルを両手で持ち、梱包物の周囲を回りながらストレッチフィルムのロ−ルを回転さて、ストレッチフィルムの巻を、巻き戻すようにして、梱包物に巻き付けて使用する。一般的にパレットに積み込む梱包物は、高さが１５０ｃｍ程から１７０ｃｍ程に積み重ねる。
【０００５】
また、ストレッチフィルムを梱包物に巻き付ける作業の中で、ストレッチフィルムの回転を一時止めて、ストレッチフィルムを引っ張りストレッチフィルムの特徴である弾性と収縮する際の密着力を引き出すことで、梱包物への巻付く力が大きくなり、梱包物の動揺を抑え梱包物が安定するようになる。
【０００６】
梱包物を積み重ねる作業には、通常、ゴム被膜手袋を使用して、手の保護、防寒、防湿、及び梱包物との摩擦力が大きいので荷扱いを容易にしている。しかし、ストレッチフィルムのロールを回転して使用する際に、この摩擦力の大きいことが、かえって、作業能率の低下の要因になっているという状況がある。
【０００７】
これまで、ストレッチフィルムを使用するための補助具類が数多く開発されている。
【先行技術文献】
【特許文献】
【０００８】
【特許文献１】実用新案登録３１７８９２２号
【特許文献２】実用新案登録第３１２７１３３号
【特許文献３】公開特許２００８−２４４９２号
【０００９】
特許文献１によれば、図９に示すような構造を持ち、着脱可能で、片手でロ−ルホルダ−を持ち、梱包物にストレッチフィルムの巻き付けが出来ることを特徴としている。
【００１０】
特許文献２によれば、図１０に示すような構造を持ち、着脱可能で、両手でロ−ルホルダ−を水平に持ち、梱包物にストレッチフィルムの巻き付けが出来ることを特徴としている。
【００１１】
特許文献３によれば、図１１に示すような構造を持ち、着脱可能で、ストレッチフィルムの紙管に挿入して、両手でロ−ルホルダ−を持ち、梱包物にストレッチフィルムの巻き付けが出来ることを特徴としている。
【００１２】
しかし、特許文献１によると、多数の部品を組み立てて使用する構造になっており、この構造物全体の質量とストレッチフィルムのロ−ルの質量を加えるとかなりの質量になると予想され、高さ１５０ｃｍから１７０ｃｍ程になる梱包物に片手での巻き付ける作業は辛いものになる。
【００１３】
また内径の異なるストレッチフィルムのロ−ルに対応するときは、交換するストレッチフィルムのロ−ルの内径に合わせた部品を交換して装着するとしているので、取りそろえる部品も多くなり管理も必要になると思われる。
【００１４】
また構造が数多くの部品からなり、ストレッチフィルムのロ−ル交換時には、取り扱いに熟練度を要し、交換作業に時間がとられると思われる。
【００１５】
また、梱包物への巻き付け作業の途中や梱包作業が終了してのちの、ストレッチフィルムのロ−ルホルダ−の構成部品は、破損などの事故を予防するために、専用の棚などの設備や備品に収納する必要があると思われる。
【００１６】
特許文献２によると、この開発品も多数の部品を組み立てて使用する構造になっており、この構造物全体の質量とストレッチフィルムのロ−ルの質量を加えるとかなりの質量になると予想され、高さ１５０ｃｍから１７０ｃｍ程になる梱包物への巻き付ける作業はかなりの負担になり辛いものになると思われる。
【００１７】
この開発品も同じく構造が数多くの部品からなり、ストレッチフィルムのロ−ル交換時には、取り扱いに熟練度を要し、交換作業にも時間がとられると思われる。
【００１８】
同じく、梱包物への巻き付け作業の途中や梱包作業が終了してのちの、ストレッチフィルムのロ−ルホルダ−の構成部品は、破損などの事故を予防するため、専用の棚などの設備や備品に収納する必要があると思われる。
【００１９】
特許文献３によると、ストレッチフィルムのロ−ルの孔に篏入して芯管に固着し、芯管とともに回転する回転軸部と、回転軸部に回転自在に係合する把持部からなる構造を持ち、芯管に固着させる回転軸部にリブを設けて、異なる内径にも対応できることを特徴とする芯管用ホルダ−である。
【００２０】
しかし構造が複雑なうえに、回転軸部を構成するリブ機構のみでは芯管に構成部品を紙管に固着させるためには、十分な構造とは思われない。
【考案の概要】
【考案が解決しようとする課題】
【００２１】
ストレッチフィルムのロ−ルの紙管に挿入して用いるストレッチフィルムの手巻きロ−ルホルダ−で、梱包物へのストレッチフィルムの巻き付ける作業が容易になるように、ストレッチフィルムのロ−ルの紙管とは自在に回転する構造を持ち、かつ、内径の異なるストレッチフィルムのロ−ルの紙管にも使用ができる構造で、ゴム被膜手袋を着用したままで梱包物にストレッチフィルムの巻き付け作業ができる構造を持ち、簡素で軽量で少ない部品から構成されており、製造工程も少ない仕様にして製品も安価に抑えられ、ストレッチフィルムのロ−ルの交換の時に着脱のための手順に熟練度を要さず、交換時間も少なく、容易に行うことが出来ること、及び、専用の棚や備品等のほか保管と管理のためのスペ−スを要さず、ストレッチフィルムの手巻きロ−ルホルダ−を紙管に挿入したままで保管や管理が出来る。そして、ストレッチフィルムの引っ張り強さを活かして収縮する際の密着力を引き出すために、梱包物への巻き付け作業の途中で、ストレッチフィルムのロ−ルの回転を一時止める機構を備えたストレッチフィルムの、手巻きロ−ルホルダ−を提供することを課題とする。
【課題を解決するための手段】
【００２２】
以上の課題を解決するために、本考案の第一の考案は、樹脂系の素材で成形した可動筒ｋｔと内筒ｕｔとこれらを係合する柄ｅ、及び外筒ｓｔの４点の簡素で軽量な部品を組み立てて、ストレッチフィルムのロ−ルの紙管ｋｋに挿入して使用するストレッチフィルムの手巻きロ−ルホルダ−で、可動筒ｋｔの底部に設けた穴ａに挿入して貫通させた柄ｅを、そのまま内筒ｕｔの，補強板ｈｏに支えられている支柱ｓｕの孔ａｎに挿入して貫通させ、柄ｅの先端に備えている鍔機構ｔｂ2により可動筒ｋｔと内筒ｕｔとを係合させてから、この係合したままの可動筒ｋｔと内筒ｕｔを、ストレッチフィルムのロ−ルの紙管ｋｋに挿入した外筒ｓｔの中に挿入してから、柄ｅの柄頭ｅｈを下押して、可動筒ｋｔの下部の外周に設けた半球状の円環ｅｋ2が、外筒ｓｔの下部の内周に設けている半球状の円環ｅｋ1を越えるまで可動筒ｋｔを下押して、可動筒ｋｔと外筒ｓｔを緩篏させたのち、内筒ｕｔの支柱ｓｕの孔ａｎに挿入した柄ｅの柄頭ｅｈを下押して内筒ｕｔを下押して、外筒ｓｔの内周の下部に設けた内側向きの片側勾配角θ１を有する構造と外筒ｓｔの下部に弾性を持たせるために施された切欠部ｓｋを有する構造により、内筒ｕｔが下押されるに連れて外筒ｓｔの下部が押圧され、外筒ｓｔは拡底して行き、内径の異なる紙管ｋｋにも緩むことなく強く圧着する。さらに可動筒ｋｔの上部の円周部ｋｔｈ1の屈曲外周部ｋｔｈ2の内側に設けた鍔機構ｔｂ1と、可動筒ｋｔの上部の円周部ｋｔｈ1の屈曲外周部ｋｔｈ2に弾性を持たせるために施された切欠部ｓの構造により、可動筒ｋｔを外筒ｓｔの中に押し下げて、外筒ｓｔに可動筒ｋｔを緩く係合させることで、紙管ｋｋと強く圧着している外筒ｓｔの内側で、可動筒ｋｔが自在に回転するストレッチフィルムの手巻きロ−ルホルダ−は、又、紙筒ｋｋに挿入して使用している状態の可動筒ｋｔを互いに反対方向に引っ張ると、可動筒ｋｔの上部円周部ｋｔｈ1の屈曲外周部ｋｔｈ2の内側に設けた鍔機構ｔｂ1により、紙管ｋｋに強く圧着されている外筒ｓｔの上部円周部ｓｔｈの縁と摩擦が生じて、外筒ｓｔと紙管ｋｋ及びストレッチフィルムのロ−ルの回転を任意のところで止めることが出来る。このことにより梱包物への巻き付け作業の任意のところで，ストレッチフィルムのロ−ルの回転を一時的に止めて、ストレッチフィルムを引っ張ることが出来ることから、ストレチフィルムの引っ張り強さを活かして、収縮する際の密着力を引き出すことが出来ることを特徴とするストレッチフィルムの手巻きロ−ルホルダ−を提供することである。
【００２３】
また、本考案の第二の考案は、樹脂系の素材で成形した可動筒ｋｔと内筒ｕｔとこれらを係合する柄ｅ、及び外筒ｓｔの４点の簡素で軽量な部品を組み立てて、ストレッチフィルムのロ−ルの紙管ｋｋに挿入して使用するストレッチフィルムの手巻きロ−ルホルダ−で、可動筒ｋｔの底部に設けた穴ａに挿入して貫通させた柄ｅを、そのまま内筒ｕｔの、補強板ｈｏに支えられている支柱ｓｕの孔ａｎに挿入して貫通させ、柄ｅの先端に備えている鍔機構ｔｂ2により可動筒ｋｔと内筒ｕｔとを係合させてから、この係合したままの可動筒ｋｔと内筒ｕｔを、ストレッチフィルムのロ−ルの紙管ｋｋに挿入した外筒ｓｔの中に挿入してから、柄ｅの柄頭ｅｈを下押して、可動筒ｋｔの下部の外周に設けた半球状の円環ｅｋ2が、外筒ｓｔの下部の内周に設けている半球状の円環ｅｋ1を越えるまで可動筒ｋｔを下押して、可動筒ｋｔと外筒ｓｔを緩篏させたのち、内筒ｕｔの支柱ｓｕの孔ａｎに挿入した柄ｅの柄頭ｅｈを下押して内筒ｕｔを下押して、外筒ｓｔの内周の下部に設けた内側向きの片側勾配角θ１を有する構造と外筒ｓｔの下部に弾性を持たせるために施された切欠部ｓｋを有する構造により、内筒ｕｔが下押されるに連れて外筒ｓｔの下部が押圧され、外筒ｓｔは拡底して行き、内径の異なる紙管ｋｋにも緩むことなく強く圧着する。さらに可動筒ｋｔの上部の円周部ｋｔｈ1の屈曲外周部ｋｔｈ2の内側に設けた鍔機構ｔｂ1と、可動筒ｋｔの上部の円周部ｋｔｈ1の屈曲外周部ｋｔｈ2に弾性を持たせるために施された切欠部ｓの構造により、可動筒ｋｔを外筒ｓｔの中に押し下げて、外筒ｓｔに可動筒ｋｔを緩く係合させることで、紙管ｋｋと強く圧着している外筒ｓｔの内側で、可動筒ｋｔが自在に回転するストレッチフィルムの手巻きロ−ルホルダ−で、内径の異なる紙管ｋｋのストレッチフィルムでも使用することが出来ることを特徴とするストレッチフィルムの手巻きロ−ルホルダ−を提供することである。
【００２４】
また、本考案の、第三考案は、樹脂系の素材で成形した可動筒ｋｔと内筒ｕｔとこれらを係合する柄ｅ、及び外筒ｓｔの４点の簡素で軽量な部品を組み立てて、ストレッチフィルムのロ−ルの紙管ｋｋに挿入して使用するストレッチフィルムの手巻きロ−ルホルダ−で、可動筒ｋｔの底部に設けた穴ａに挿入して貫通させた柄ｅを、そのまま内筒ｕｔの、補強板ｈｏに支えられているもつ支柱ｓｕの孔ａｎに挿入して貫通させ、柄ｅの先端に備えている鍔機構ｔｂ2により可動筒ｋｔと内筒ｕｔとを係合させてから、この係合したままの可動筒ｋｔと内筒ｕｔを、ストレッチフィルムのロ−ルの紙管ｋｋに挿入した外筒ｓｔの中に挿入してから、柄ｅの柄頭ｅｈを下押して、可動筒ｋｔの下部の外周に設けた半球状の円環ｅｋ2が、外筒ｓｔの下部の内周に設けている半球状の円環ｅｋ1を越えるまで可動筒ｋｔを下押して、可動筒ｋｔと外筒ｓｔを緩篏させたのち、内筒ｕｔの支柱ｓｕの孔ａｎに挿入した柄ｅの柄頭ｅｈを下押して内筒ｕｔを下押して、外筒ｓｔの内周の下部に設けた内側向きの片側勾配角θ１を有する構造と外筒ｓｔの下部に弾性を持たせるために施された切欠部ｓｋを有する構造により、内筒ｕｔが下押されるに連れて外筒ｓｔの下部が押圧され、外筒ｓｔは拡底して行き、内径の異なる紙管ｋｋにも緩むことなく強く圧着する。さらに可動筒ｋｔの上部の円周部ｋｔｈ1の屈曲外周部ｋｔｈ2の内側に設けた鍔機構ｔｂ1と、可動筒ｋｔの上部の円周部ｋｔｈ1の屈曲外周部ｋｔｈ2に弾性を持たせるために施された切欠部ｓの構造により、可動筒ｋｔを外筒ｓｔの中に押し下げて、外筒ｓｔに可動筒ｋｔを緩く係合させることで、紙管ｋｋと強く圧着している外筒ｓｔの内側で、可動筒ｋｔが自在に回転するストレッチフィルムの手巻きロ−ルホルダ−で、簡素で軽量で少ない部品で構成されており、製造工程も少ない仕様にして製品コストも安価に抑えることが出来ることを特徴とするストレッチフィルムの手巻きロ−ルホルダ−を提供することである。
【００２５】
また、本考案の第四の考案は、樹脂系の素材で成形した可動筒ｋｔと内筒ｕｔとこれらを係合する柄ｅ、及び外筒ｓｔの４点の簡素で軽量な部品を組み立てて、ストレッチフィルムのロ−ルの紙管ｋｋに挿入して使用するストレッチフィルムの手巻きロ−ルホルダ−で、可動筒ｋｔの底部に設けた穴ａに挿入して貫通させた柄ｅを、そのまま内筒ｕｔの，補強板ｈｏに支えられている支柱ｓｕの孔ａｎに挿入して貫通させ、柄ｅの先端に備えている鍔機構ｔｂ2により可動筒ｋｔと内筒ｕｔとを係合させてから、この係合したままの可動筒ｋｔと内筒ｕｔを、ストレッチフィルムのロ−ルの紙管ｋｋに挿入した外筒ｓｔの中に挿入してから、柄ｅの柄頭ｅｈを下押して、可動筒ｋｔの下部の外周に設けた半球状の円環ｅｋ2が、外筒ｓｔの下部の内周に設けている半球状の円環ｅｋ1を越えるまで可動筒ｋｔを下押して、可動筒ｋｔと外筒ｓｔを緩篏させたのち、内筒ｕｔの支柱ｓｕの孔ａｎに挿入した柄ｅの柄頭ｅｈを下押して内筒ｕｔを下押して、外筒ｓｔの内周の下部に設けた内側向きの片側勾配角θ１を有する構造と外筒ｓｔの下部に弾性を持たせるために施された切欠部ｓｋを有する構造により、内筒ｕｔが下押されるに連れて外筒ｓｔの下部が押圧され、外筒ｓｔは拡底して行き、内径の異なる紙管ｋｋにも緩むことなく強く圧着する。さらに可動筒ｋｔの上部の円周部ｋｔｈ1の屈曲外周部ｋｔｈ2の内側に設けた鍔機構ｔｂ1と、可動筒ｋｔの上部の円周部ｋｔｈ1の屈曲外周部ｋｔｈ2に弾性を持たせるために施された切欠部ｓの構造により、可動筒ｋｔを外筒ｓｔの中に押し下げて、外筒ｓｔに可動筒ｋｔを緩く係合させることで、紙管ｋｋと強く圧着している外筒ｓｔの内側で、可動筒ｋｔが自在に回転するストレッチフィルムの手巻きロ−ルホルダ−で、ストレッチフィルムのロ−ル交換に熟練度を要さず、交換時間も少なく容易にロ−ルの交換が出来ることを特徴とするストレッチフィルムの手巻きロ−ルホルダ−を提供することである。
【００２６】
また、本考案の、第五考案は、樹脂系の素材で成形した可動筒ｋｔと内筒ｕｔとこれらを係合する柄ｅ、及び外筒ｓｔの４点の簡素で軽量な部品を組み立てて、ストレッチフィルムのロ−ルの紙管ｋｋに挿入して使用するストレッチフィルムの手巻きロ−ルホルダ−で、可動筒ｋｔの底部に設けた穴ａに挿入して貫通させた柄ｅを、そのまま内筒ｕｔの、補強板ｈｏに支えられている支柱ｓｕの孔ａｎに挿入して貫通させ、柄ｅの先端に備えている鍔機構ｔｂ2により可動筒ｋｔと内筒ｕｔとを係合させてから、この係合したままの可動筒ｋｔと内筒ｕｔを、ストレッチフィルムのロ−ルの紙管ｋｋに挿入した外筒ｓｔの中に挿入してから、柄ｅの柄頭ｅｈを下押して、可動筒ｋｔの下部の外周に設けた半球状の円環ｅｋ2が、外筒ｓｔの下部の内周に設けている半球状の円環ｅｋ1を越えるまで可動筒ｋｔを下押して、可動筒ｋｔと外筒ｓｔを緩篏させたのち、内筒ｕｔの支柱ｓｕの孔ａｎに挿入した柄ｅの柄頭ｅｈを下押して内筒ｕｔを下押して、外筒ｓｔの内周の下部に設けた内側向きの片側勾配角θ１を有する構造と外筒ｓｔの下部に弾性を持たせるために施された切欠部ｓｋを有する構造により、内筒ｕｔが下押されるに連れて外筒ｓｔの下部が押圧され、外筒ｓｔは拡底して行き、内径の異なる紙管ｋｋにも緩むことなく強く圧着する。さらに可動筒ｋｔの上部の円周部ｋｔｈ1の屈曲外周部ｋｔｈ2の内側に設けた鍔機構ｔｂ1と、可動筒ｋｔの上部の円周部ｋｔｈ1の屈曲外周部ｋｔｈ2に弾性を持たせるために施された切欠部ｓの構造により、可動筒ｋｔを外筒ｓｔの中に押し下げて、外筒ｓｔに可動筒ｋｔを緩く係合させることで、紙管ｋｋと強く圧着している外筒ｓｔの内側で、可動筒ｋｔが自在に回転するストレッチフィルムの手巻きロ−ルホルダ−で、専用の棚などの特別な管理用の備品や、保管と管理するためのスペ−スを要さず、ストレッチフィルムのロールに装着したまま、ストレッチフィルムのロ−ルが納品された時の納品用ダンボ−ル箱ｄｈに収納して保管と管理が出来ることを特徴とするストレッチフィルムの手巻きロ−ルホルダ−を提供することである。
【００２７】
また、第六考案は、樹脂系の素材で成形した可動筒ｋｔと内筒ｕｔとこれらを係合する柄ｅ、及び外筒ｓｔの４点の簡素で軽量な部品を組み立てて、ストレッチフィルムのロ−ルの紙管ｋｋに挿入して使用するストレッチフィルムの手巻きロ−ルホルダ−で、可動筒ｋｔの底部に設けた穴ａに挿入して貫通させた柄ｅを、そのまま内筒ｕｔの、補強板ｈｏに支えられている支柱ｓｕの孔ａｎに挿入して貫通させ、柄ｅの先端に備えている鍔機構ｔｂ2により可動筒ｋｔと内筒ｕｔとを係合させてから、この係合したままの可動筒ｋｔと内筒ｕｔを、ストレッチフィルムのロ−ルの紙管ｋｋに挿入した外筒ｓｔの中に挿入してから、柄ｅの柄頭ｅｈを下押して、可動筒ｋｔの下部の外周に設けた半球状の円環ｅｋ2が、外筒ｓｔの下部の内周に設けている半球状の円環ｅｋ1を越えるまで可動筒ｋｔを下押して、可動筒ｋｔと外筒ｓｔを緩篏させたのち、内筒ｕｔの支柱ｓｕの孔ａｎに挿入した柄ｅの柄頭ｅｈを下押して内筒ｕｔを下押して、外筒ｓｔの内周の下部に設けた内側向きの片側勾配角θ１を有する構造と外筒ｓｔの下部に弾性を持たせるために施された切欠部ｓｋを有する構造により、内筒ｕｔが下押されるに連れて外筒ｓｔの下部が押圧され、外筒ｓｔは拡底して行き、内径の異なる紙管ｋｋにも緩むことなく強く圧着する。さらに可動筒ｋｔの上部の円周部ｋｔｈ1の屈曲外周部ｋｔｈ2の内側に設けた鍔機構ｔｂ1と、可動筒ｋｔの上部の円周部ｋｔｈ1の屈曲外周部ｋｔｈ2に弾性を持たせるために施された切欠部ｓの構造により、可動筒ｋｔを外筒ｓｔの中に押し下げて、外筒ｓｔに可動筒ｋｔを緩く係合させることで、紙管ｋｋと強く圧着している外筒ｓｔの内側で、可動筒ｋｔが自在に回転するストレッチフィルムの手巻きロ−ルホルダ−を、提供することである。
【００２８】
また、本考案の第七の考案は、樹脂系の素材で成形した可動筒ｋｔと内筒ｕｔとこれらを係合する柄ｅ、及び外筒ｓｔの４点の簡素で軽量な部品を組み立てて、ストレッチフィルムのロ−ルの紙管ｋｋに挿入して使用するストレッチフィルムの手巻きロ−ルホルダ−で、可動筒ｋｔの底部に設けた穴ａに挿入して貫通させた柄ｅを、そのまま内筒ｕｔの，補強板ｈｏに支えられている支柱ｓｕの孔ａｎに挿入して貫通させ、柄ｅの先端に備えている鍔機構ｔｂ2により可動筒ｋｔと内筒ｕｔとを係合させてから、この係合したままの可動筒ｋｔと内筒ｕｔを、ストレッチフィルムのロ−ルの紙管ｋｋに挿入した外筒ｓｔの中に挿入してから、柄ｅの柄頭ｅｈを下押して、可動筒ｋｔの下部の外周に設けた半球状の円環ｅｋ2が、外筒ｓｔの下部の内周に設けている半球状の円環ｅｋ1を越えるまで可動筒ｋｔを下押して、可動筒ｋｔと外筒ｓｔを緩篏させたのち、内筒ｕｔの支柱ｓｕの孔ａｎに挿入した柄ｅの柄頭ｅｈを下押して内筒ｕｔを下押して、外筒ｓｔの内周の下部に設けた内側向きの片側勾配角θ１を有する構造と外筒ｓｔの下部に弾性を持たせるために施された切欠部ｓｋを有する構造により、内筒ｕｔが下押されるに連れて外筒ｓｔの下部が押圧され、外筒ｓｔは拡底して行き、内径の異なる紙管ｋｋにも緩むことなく強く圧着する。さらに可動筒ｋｔの上部の円周部ｋｔｈ1の屈曲外周部ｋｔｈ2の内側に設けた鍔機構ｔｂ1と、可動筒ｋｔの上部の円周部ｋｔｈ1の屈曲外周部ｋｔｈ2に弾性を持たせるために施された切欠部ｓの構造により、可動筒ｋｔを外筒ｓｔの中に押し下げて、外筒ｓｔに可動筒ｋｔを緩く係合させることで、紙管ｋｋと強く圧着している外筒ｓｔの内側で、可動筒ｋｔが自在に回転するストレッチフィルムの手巻きロ−ルホルダ−で、ゴム被膜の手袋を装着したままで使用が出来ることを特徴とするストレッチフィルムの手巻きロ−ルホルダ−を提供することである。
【考案の効果】
【００２９】
本考案の第一考案によれば、梱包物への巻き付け作業の任意のところでストレッチフィルムのロ−ルの回転を一時的に止めて、ストレッチフィルムを引っ張ることが出来ることから、ストレチフィルムの引っ張り強さを活かして、収縮する際の密着力を引き出すことが出来るという利点がある。
【００３０】
本考案の第二考案によれば、内筒が下押されるに連れて外筒の下部が押圧され、外筒は拡底して行き内径の異なる紙管にも緩むことなく強く圧着する。さらに可動筒の上部の円周部の屈曲外周部の内側に設けた鍔機構と、可動筒の上部の円周部の屈曲外周部に弾性を持たせるために施された切欠部を有する構造により、可動筒を外筒の中に押し下げて、外筒に可動筒を緩く係合させることにより、紙管と強く圧着している外筒の内側で、可動筒が自在に回転するストレッチフィルムの手巻きロ−ルホルダ−は、内径の異なる紙管のストレッチフィルムにも使用が出来るという利点がある。
【００３１】
本考案の第三考案によれば、樹脂系の素材で成形した可動筒と内筒とこれらを係合する柄、及び外筒の４点の簡素で軽量な部品を組み立てて、ストレッチフィルムのロ−ルの紙管に挿入して使用するストレッチフィルムの手巻きロ−ルホルダ−は、図１１に示す先行技術によるホルダ−ｎ3のような複雑な構造と異なり、簡素で軽量で少ない部品で構成されており、製造工程も少ない仕様にして製品コストも安価に抑えることが出来るという利点がある。
【００３２】
本考案の第四考案によれば、樹脂系の素材で成形した可動筒と内筒とこれらを係合する柄、及び外筒の４点の簡素で軽量な部品を組み立てて、ストレッチフィルムのロ−ルの紙管に挿入して使用するストレッチフィルムの手巻きロ−ルホルダ−は、ストレッチフィルムのロ−ル交換の際に、外筒の中に挿入した内筒と可動筒を一緒に紙管から引き抜き、次のストレッチフィルムのロールに挿入して交換が完了するので、交換作業に熟練度を要さず、交換時間も少なく容易にロ−ルの交換が出来るという利点がある。
【００３３】
本考案の第五考案によれば、ストレッチフィルムのロ−ルの紙管に挿入して使用する本考案のストレッチフィルムの手巻きロ−ルホルダ−ｏｏは、図８に示すように、専用の棚などの特別な管理用の備品および、保管と管理するためのスペ−スを要さず、図９に示す先行技術によるロ−ルホルダ−ｎ1及び図１０に示す先行技術によるホルダ−ｎ2と異なり、ストレッチフィルムのロールに装着したまま、ストレッチフィルムのロ−ルが納品された時の納品用ダンボ−ル箱ｄｈに収納して保管と管理が出来るという利点がある。
【００３４】
本考案の第六考案によれば、可動筒の底部に設けた穴に挿入して貫通させた柄を、そのまま内筒の、補強板に支えられている支柱の孔に挿入して貫通させ、柄の先端に備えている鍔機構により可動筒と内筒とを係合させてから、この係合したままの可動筒と内筒を、ストレッチフィルムのロ−ルの紙管に挿入した外筒の中に挿入してから、柄の柄頭を下押して、可動筒の下部の外周に設けた半球状の円環が、外筒の下部の内周に設けている半球状の円環を越えるまで可動筒を下押して、可動筒と外筒を緩篏させたのち、内筒の支柱の孔に挿入した柄の柄頭を下押して内筒を下押して、外筒の内周の下部に設けた内側向きの片側勾配の構造と外筒の下部に弾性を持たせるために施された切欠部の構造により、内筒が下押されるに連れて外筒の下部が押圧され、外筒は拡底して行き内径の異なる紙管にも緩むことなく強く圧着する。さらに可動筒の上部円周の屈曲外周部の内側に設けた鍔機構と、可動筒の上部円周の屈曲外周部に弾性を持たせるために施された切欠部の構造により、可動筒を外筒の中に押し下げて、外筒に可動筒を緩く係合させることで、紙管と強く圧着している外筒の内側で、可動筒が自在に回転するという、利点がある。
【００３５】
本考案の第七考案によれば、紙管と強く圧着している外筒の内側で、可動筒が自在に回転するストレッチフィルムの手巻きロ−ルホルダ−は、図７に示すように、ゴム被膜の手袋を装着したままで使用が出来るという利点がある。
【図面の簡単な説明】
【００３６】
【図１】図１は、本考案のストレッチフィルムの手巻きロ−ルホルダ−を構成する可動筒と内筒と外筒の形状を示す図。（イ）は、可動筒と内筒と外筒とを係合して、ストレッチフィルムのロ−ルに装着した形状を示す図で、（ロ）は、このうち外筒を示す図である。
【図２】図２は、本考案のストレッチフィルムの手巻きロ−ルホルダ−の形状を詳細に示す図である。部分拡大図Ａは、外筒に可動筒が係合している形状を示す図で、部分拡大図Ｂは、可動筒の下部の外周に設けた半球状の円環が、外筒の下部の内周に設けた半球状の円環を越えて、可動筒と外筒が緩篏している状態を示す図で、部分拡大図Ｃは、内筒が下押されて外筒が拡底し、外筒が紙管に押圧され強く圧着されている形状を示す図である。
【図３】図３は、本考案のストレッチフィルムの手巻きロ−ルホルダ−を構成する可動筒の形状を示す図である。（ハ）は、平面図、（ニ）は、下面図、（ホ）は、正面図、部分拡大図Ｄは、可動筒の屈曲外周部の内周に鍔機構を設けている形状を示す図で、部分拡大図Ｅは、可動筒の下部の外側に、半球状の円環を設けている形状を示す図である。
【図４】図４は、本考案のストレッチフィルムの手巻きホルダ−を構成する外筒の形状を示す図で、（ホ）は、正面図、（ヘ）は、下面図、部分拡大図Ｆは、外筒の内周に半球状の円環を設けている形状を示す図、部分拡大図Ｇは、外筒の下部の内側に向けて、片側勾配角θ１を設けている形状を示す図である。
【図５】図５は、本考案のストレッチフィルムの手巻きロ−ルホルダ−を構成する内筒の形状を示す図で、（ト）は、平面図、（チ）は、正面図、（リ）は、斜視図である。
【図６】図６は、本考案のストレッチフィルム手巻きロ−ルホルダ−を構成する内筒の支柱に挿入する柄の構造を示す図で、（ヌ）は、柄の先端に鍔機構を持つ形状を示す図、（ル）は、柄の形状を示す下面図、（ヲ）は、鍔機構をもつ柄を、内筒の持つ支柱の孔に挿入して貫通させて、内筒と柄とが緩篏している形状を示す図である。
【図７】図７は、本考案のストレッチフィルムの手巻きロ−ルホルダ−を、ストレッチフィルムロ−ルに装着して使用している形状を示す図である。
【図８】図８は、本考案のストレッチフィルムの手巻きロ−ルホルダーをストレッチフィルムのロ−ルに装着したまま保管、管理されている形状を示す図で、（ワ）は、本考案のストレッチフィルムの手巻きロールホルダーを装着したまま、床に立てて保管している形状を示す図、（カ）は、本考案のストレッチフィルムの手巻きロールホルダ−をストレッチフィルムのロ−ルに装着したまま、ストレッチフィルムのロ−ルが納品された時のダンボ−ル箱に収納して保管、管理している形状を示す図である。
【図９】図９は、先行技術文献１によるストレッチフィルムのロールホルダ−の形状を示す図である。
【図１０】図１０は、先行技術文献２によるストレッチフィルムのロールホルダ−の形状を示す図である。
【図１１】図１１は、先行技術文献３によるストレッチフィルムのロールホルダ−の形状を示す図である。
【考案を実施するための形態】
【００３７】
以下図面に基ずき、本考案の実施の一形態を説明する。
【００３８】
図１及び図２は、本考案の実施の一形態を示すもので、樹脂系の素材で成形した可動筒ｋｔと内筒ｕｔとこれらを係合する柄ｅ、及び外筒ｓｔの４点の簡素で軽量な部品を組み立てて、ストレッチフィルムのロ−ルの紙管ｋｋに挿入して使用するストレッチフィルムの手巻きロ−ルホルダ−で、図３（ハ）（ニ）に示すように、可動筒ｋｔの底部に設けた穴ａに挿入して貫通させた柄ｅを、図５（ト）（チ）（リ）に示すように、補強板ｈｏに支えられている内筒ｕｔの支柱ｓｕの孔ａｎに挿入して貫通させ、図6（ヌ）（ル）に示すように、柄ｅの先端に備えている鍔機構ｔｂ2により可動筒ｋｔと内筒ｕｔとを係合させてから、図６（ヲ）に示すように、この係合したままの可動筒ｋｔと内筒ｕｔを、図２に示すように、ストレッチフィルムのロ−ルの紙管ｋｋに挿入した外筒ｓｔの中に挿入してから、柄ｅの柄頭ｅｈを下押して、図３の拡大図Ｅに示すように、可動筒ｋｔの下部の外周に設けた半球状の円環ｅｋ2が、図４の拡大図Ｆに示すように、外筒ｓｔの下部の内周に設けている半球状の円環ｅｋ1を越えるまで可動筒ｋｔを下押して、図２の拡大図Ｂに示すように、可動筒ｋｔと外筒ｓｔを緩篏させたのち、内筒ｕｔの支柱ｓｕの孔ａｎに挿入した柄ｅの柄頭ｅｈを下押して内筒ｕｔを下押して、図２の拡大図Ｃと図４の拡大図Ｇに示すように、外筒ｓｔの内周の下部に設けた内側向きの片側勾配角θ１を有する構造と、図１（ロ）と図4（ホ）（ヘ）に示すように、外筒ｓｔの下部に弾性を持たせるために施された切欠部ｓｋを有する構造により、内筒ｕｔが下押されるに連れて外筒ｓｔの下部が押圧されて、外筒ｓｔは拡底して行き、図２に示すように、内径の異なる紙管ｋｋにも緩むことなく強く圧着する。さらに図２の拡大図Ａに示すように、可動筒ｋｔの上部の円周部ｋｔｈ1の屈曲外周部ｋｔｈ2の内側に設けた鍔機構ｔｂ1と、図３の拡大図Ｄに示すように、可動筒ｋｔの上部の円周部ｋｔｈ1の屈曲外周部ｋｔｈ2に弾性を持たせるために施された切欠部ｓの構造により、可動筒ｋｔを外筒ｓｔの中に押し下げて、図２の拡大図Ａと拡大図Ｂに示すように、外筒ｓｔに可動筒ｋｔを緩く係合させることで、図１（イ）に示すように、紙管ｋｋと強く圧着している外筒ｓｔの内側で、可動筒ｋｔが自在に回転するストレッチフィルムの手巻きロ−ルホルダ−を形成する。
【実施形態の効果】
【００３９】
本考案の、実施の一形態の効果として、図２に示すように、可動筒ｋｔと内筒ｕｔは柄ｅの先に施されている鍔機構ｔｂ2により係合されており、さらに外筒ｓｔと可動筒ｋｔは、図２の部分拡大図Ａに示すように、可動筒ｋｔの上部の円周部ｓｔｈの屈曲外周部ｋｔｈ2の内側に施されている鍔機構ｔｂ1により係合されており、柄ｅの柄頭ｅｈを把持して引っ張ることにより、外筒ｓｔは内筒ｕｔによる押圧から解放されて、ストレッチフィルムｓｆのロ−ルの紙管ｋｋへの強い圧着力は緩むことになるので、ストレッチフィルムｓｆのロ−ルの紙管ｋｋから、可動筒ｋｔと内筒ｕｔ及び外筒ｓｔを、一緒に引き抜くことが出来るという利点がある。
【００４０】
また、一度組み立てて使用した後は、可動筒ｋｔと内筒ｕｔ及び外筒ｓｔがセットで扱えるので、ほかのストレッチフィルムのロ−ルと交換する際には、着脱が非常に簡単で、作業の熟練度は不要で、交換時間も短時間で済むという利点がある。
【考案を実施するための他の形態】
【００４１】
本考案の実施の他の形態を説明する
【００４２】
本考案の実施の一形態では、樹脂系の素材を用いて、可動筒ｋｔと内筒ｕｔとこれらを係合する柄ｅ、及び外筒ｓｔの４点の簡素で軽量な部品を成形して、ストレッチフィルムのロ−ルの紙管ｋｋに挿入して使用するとしているものを、実施の他の形態では、硬質なダンボ−ル素材を用いて成形して、実施の一形態と同じ方法でストレッチフィルムの手巻きロ−ルホルダ−を形成する。
【実施の他の形態の効果】
【００４３】
本考案の、実施の他の形態の効果として、樹脂素材より安価なダンボ−ル素材を用いて成形することから、製造コストを抑えることとなり、ストレッチフィルムのロ−ルの紙管に標準的に装着して出荷することも可能となり、ストレッチフィルムの利用者の利便性を満たすことになるという利点がある。
【００４４】
また、本考案の、実施の他の形態の効果として、樹脂素材より安価なダンボ−ル素材を用いて成形されたストレッチフィルムの手巻きロ−ルホルダ−は、使用して摩耗が進み、廃棄するときは、紙管とともにリサイクルの対象にもなり、省資源になり得るという利点がある。
【符号の説明】
【００４５】
ａ  可動筒の底の中央に設けた柄の通し穴。
ａｎ  内筒の支柱の孔。
ｄｈ  ストレッチフィルムロ−ルが納品された時のダンボ−ル箱。
ｅ  柄。
ｅｈ  柄の柄頭。
ｅｋ１  外筒の下部の内周に設けた半球状の円環。
ｅｋ２  可動筒の下部の外周に設けた半球状の円環。
ｈｏ  支柱の補強板。
ｋｋ  紙管。
ｋｔ  可動筒。
ｋｔｈ１  可動筒の上部の円周部。
ｋｔｈ２  可動筒の上部の円周部の屈曲外周部
ｎ１  先行技術文献１によるストレッチフィルムホルダ−
ｎ２  先行技術文献２によるストレッチフィルムホルダ−
ｎ３  先行技術文献３によるストレッチフィルムホルダ−
ｏｏ  本考案の手巻きのロ−ルホルダ−を装着したストレッチフィルムロ−ル。
s  可動筒の上部の円周部の屈曲外周部に施された切欠部
ｓｆ  ストレッチフィルム。
ｓｋ  外筒の下部に施された切欠部。
ｓｔ  外筒。
ｓｔｈ  外筒の上部の円周部。
ｓｕ  支柱。
tb1  可動筒の上部円周部の屈曲外周部の内側に設けた鍔機構。
tb2  柄の先に設けた外向きの鍔機構。
ｕｔ  内筒。
θ１  外筒の下部の内側向きの片側勾配角。
【図１】
0003214425.tif 000003
【図２】
0003214425.tif 000004
【図３】
0003214425.tif 000005
【図４】
0003214425.tif 000006
【図５】
0003214425.tif 000007
【図６】
0003214425.tif 000008
【図７】
0003214425.tif 000009
【図８】
0003214425.tif 000010
【図９】
0003214425.tif 000011
【図１０】
0003214425.tif 000012
【図１１】
0003214425.tif 000013
【手続補正書】
【提出日】平成29年11月6日(2017.11.6)
【手続補正１】
【補正対象書類名】実用新案登録請求の範囲
【補正対象項目名】全文
【補正方法】変更
【補正の内容】
【実用新案登録請求の範囲】
【請求項１】
樹脂系の素材で成形した可動筒ｋｔと内筒ｕｔとこれらを係合する柄ｅ、及び外筒ｓｔの４点の簡素で軽量な部品を組み立てて、ストレッチフィルムのロ−ルの紙管ｋｋに挿入して使用するストレッチフィルムの手巻きロ−ルホルダ−であって、可動筒ｋｔの底部に設けた穴ａに挿入して貫通させた柄ｅを、そのまま内筒ｕｔの、補強板ｈｏに支えられている支柱ｓｕの孔ａｎに挿入して貫通させ、柄ｅの先端に備えている鍔機構ｔｂ2により可動筒ｋｔと内筒ｕｔとを係合させてから、この係合したままの可動筒ｋｔと内筒ｕｔを、ストレッチフィルムのロ−ルの紙管ｋｋに挿入した外筒ｓｔの中に挿入してから、柄ｅの柄頭ｅｈを下押して、可動筒ｋｔの下部の外周に設けた半球状の円環ｅｋ2が、外筒ｓｔの下部の内周に設けている半球状の円環ｅｋ1を越えるまで可動筒ｋｔを下押して、可動筒ｋｔと外筒ｓｔを緩篏させたのち、内筒ｕｔの支柱ｓｕの孔ａｎに挿入した柄ｅの柄頭ｅｈを下押して内筒ｕｔを下押して、外筒ｓｔの内周の下部に設けた内側向きの片側勾配角θ１を有する構造と外筒ｓｔの下部に弾性を持たせるために施された切欠部ｓｋを有する構造により、内筒ｕｔが下押されるに連れて外筒ｓｔの下部が押圧され、外筒ｓｔは拡底して行き、内径の異なる紙管ｋｋにも緩むことなく強く圧着され、さらに可動筒ｋｔの上部の円周部ｋｔｈ1の屈曲外周部ｋｔｈ2の内側に設けた鍔機構ｔｂ1と、可動筒ｋｔの上部の円周部ｋｔｈ1の屈曲外周部ｋｔｈ2に弾性を持たせるために施された切欠部ｓの構造により、可動筒ｋｔを外筒ｓｔの中に押し下げて、外筒ｓｔに可動筒ｋｔを緩く係合させることで、紙管ｋｋと強く圧着している外筒ｓｔの内側で、可動筒ｋｔが自在に回転することを特徴とするストレッチフィルムの手巻きロ−ルホルダ−。
【請求項２】
さらに紙筒ｋｋに挿入して使用している状態の可動筒ｋｔを互いに反対方向に引っ張ると、可動筒ｋｔの上部円周部ｋｔｈ1の屈曲外周部ｋｔｈ2の内側に設けた鍔機構ｔｂ1により、紙管ｋｋに強く圧着されている外筒ｓｔの上部円周部ｓｔｈの縁と摩擦が生じて、外筒ｓｔと紙管ｋｋ及びストレッチフィルムのロ−ルの回転を任意のところで止めることが出来、このことにより梱包物への巻き付け作業の任意のところで、ストレッチフィルムのロ−ルの回転を一時的に止めて、ストレッチフィルムを引っ張ることが出来ることから、ストレチフィルムの引っ張り強さを活かして、収縮する際の密着力を引き出すことが出来ることを特徴とする請求項１に記載のストレッチフィルムの手巻きロ−ルホルダ−。
【請求項３】
さらに内径の異なる紙管ｋｋのストレッチフィルムでも使用することが出来ることを特徴とする請求項１に記載のストレッチフィルムの手巻きロ−ルホルダ−。
【請求項４】
さらに簡素で軽量で少ない部品で構成されており、製造工程も少ない仕様にして製品コストも安価に抑えることが出来ることを特徴とする請求項１に記載のストレッチフィルムの手巻きロ−ルホルダ−。
【請求項５】
さらにストレッチフィルムのロ−ル交換に熟練度を要さず、交換時間も少なく容易にロ−ルの交換が出来ることを特徴とする請求項１に記載のストレッチフィルムの手巻きロ−ルホルダ−。
【請求項６】
さらに専用の棚などの特別な管理用の備品や、保管と管理するためのスペ−スを要さず、ストレッチフィルムのロールに装着したまま、ストレッチフィルムのロ−ルが納品された時の納品用ダンボ−ル箱ｄｈに収納して保管と管理が出来ることを特徴とする請求項１に記載のストレッチフィルムの手巻きロ−ルホルダ−。
【請求項７】
さらにゴム被膜の手袋を装着したままで使用が出来ることを特徴とする請求項１に記載のストレッチフィルムの手巻きロ−ルホルダ−。
【手続補正２】
【補正対象書類名】明細書
【補正対象項目名】全文
【補正方法】変更
【補正の内容】
【考案の詳細な説明】
【技術分野】
【０００１】
本考案は、ストレッチフィルムの手巻きロールホルダ−の形状に関する。
【背景技術】
【０００２】
従来からパレットに積み込まれた梱包物の荷崩れ防止に、ストレッチフィルムが用いられている。ストレッチフィルムの特徴として、軽量で、引っ張り強さがあり、引っ張ることで収縮する際に密着力が増すことから、梱包物が固定化されて、梱包物の荷崩れ防止に適した資材である。
【０００３】
このストレッチフィルムは、素材の種類、及び製造企業ごとに素材の厚さ、長さ、幅によりストレッチフィルムのロ−ル１本当たりの質量は約２．５ｋｇから６．５ｋｇほど有り、またストレッチフィルムを巻き取る紙管の内径も７６ｍｍから７７．２ｍｍと仕様もまちまちである。
【０００４】
ストレッチフィルムの利用の手順は、基本的には、初めにストレッチフィルムの端を梱包物の一部に挟み込み、ストレッチフィルムのロ−ルを両手で持ち、梱包物の周囲を回りながらストレッチフィルムのロ−ルを回転さて、ストレッチフィルムの巻を、巻き戻すようにして、梱包物に巻き付けて使用する。一般的にパレットに積み込む梱包物は、高さが１５０ｃｍ程から１７０ｃｍ程に積み重ねる。
【０００５】
また、ストレッチフィルムを梱包物に巻き付ける作業の中で、ストレッチフィルムの回転を一時止めて、ストレッチフィルムを引っ張りストレッチフィルムの特徴である弾性と収縮する際の密着力を引き出すことで、梱包物への巻付く力が大きくなり、梱包物の動揺を抑え梱包物が安定するようになる。
【０００６】
梱包物を積み重ねる作業には、通常、ゴム被膜手袋を使用して、手の保護、防寒、防湿、及び梱包物との摩擦力が大きいので荷扱いを容易にしている。しかし、ストレッチフィルムのロールを回転して使用する際に、この摩擦力の大きいことが、かえって、作業能率の低下の要因になっているという状況がある。
【０００７】
これまで、ストレッチフィルムを使用するための補助具類が数多く開発されている。
【先行技術文献】
【特許文献】
【０００８】
【特許文献１】実用新案登録３１７８９２２号
【特許文献２】実用新案登録第３１２７１３３号
【特許文献３】公開特許２００８−２４４９２号
【０００９】
特許文献１によれば、図９に示すような構造を持ち、着脱可能で、片手でロ−ルホルダ−を持ち、梱包物にストレッチフィルムの巻き付けが出来ることを特徴としている。
【００１０】
特許文献２によれば、図１０に示すような構造を持ち、着脱可能で、両手でロ−ルホルダ−を水平に持ち、梱包物にストレッチフィルムの巻き付けが出来ることを特徴としている。
【００１１】
特許文献３によれば、図１１に示すような構造を持ち、着脱可能で、ストレッチフィルムの紙管に挿入して、両手でロ−ルホルダ−を持ち、梱包物にストレッチフィルムの巻き付けが出来ることを特徴としている。
【００１２】
しかし、特許文献１によると、多数の部品を組み立てて使用する構造になっており、この構造物全体の質量とストレッチフィルムのロ−ルの質量を加えるとかなりの質量になると予想され、高さ１５０ｃｍから１７０ｃｍ程になる梱包物に片手での巻き付ける作業は辛いものになる。
【００１３】
また内径の異なるストレッチフィルムのロ−ルに対応するときは、交換するストレッチフィルムのロ−ルの内径に合わせた部品を交換して装着するとしているので、取りそろえる部品も多くなり管理も必要になると思われる。
【００１４】
また構造が数多くの部品からなり、ストレッチフィルムのロ−ル交換時には、取り扱いに熟練度を要し、交換作業に時間がとられると思われる。
【００１５】
また、梱包物への巻き付け作業の途中や梱包作業が終了してのちの、ストレッチフィルムのロ−ルホルダ−の構成部品は、破損などの事故を予防するために、専用の棚などの設備や備品に収納する必要があると思われる。
【００１６】
特許文献２によると、この開発品も多数の部品を組み立てて使用する構造になっており、この構造物全体の質量とストレッチフィルムのロ−ルの質量を加えるとかなりの質量になると予想され、高さ１５０ｃｍから１７０ｃｍ程になる梱包物への巻き付ける作業はかなりの負担になり辛いものになると思われる。
【００１７】
この開発品も同じく構造が数多くの部品からなり、ストレッチフィルムのロ−ル交換時には、取り扱いに熟練度を要し、交換作業にも時間がとられると思われる。
【００１８】
同じく、梱包物への巻き付け作業の途中や梱包作業が終了してのちの、ストレッチフィルムのロ−ルホルダ−の構成部品は、破損などの事故を予防するため、専用の棚などの設備や備品に収納する必要があると思われる。
【００１９】
特許文献３によると、ストレッチフィルムのロ−ルの孔に篏入して芯管に固着し、芯管とともに回転する回転軸部と、回転軸部に回転自在に係合する把持部からなる構造を持ち、芯管に固着させる回転軸部にリブを設けて、異なる内径にも対応できることを特徴とする芯管用ホルダ−である。
【００２０】
しかし構造が複雑なうえに、回転軸部を構成するリブ機構のみでは芯管に構成部品を紙管に固着させるためには、十分な構造とは思われない。
【考案の概要】
【考案が解決しようとする課題】
【００２１】
ストレッチフィルムのロ−ルの紙管に挿入して用いるストレッチフィルムの手巻きロ−ルホルダ−で、梱包物へのストレッチフィルムの巻き付ける作業が容易になるように、ストレッチフィルムのロ−ルの紙管とは自在に回転する構造を持ち、かつ、内径の異なるストレッチフィルムのロ−ルの紙管にも使用ができる構造で、ゴム被膜手袋を着用したままで梱包物にストレッチフィルムの巻き付け作業ができる構造を持ち、簡素で軽量で少ない部品から構成されており、製造工程も少ない仕様にして製品も安価に抑えられ、ストレッチフィルムのロ−ルの交換の時に着脱のための手順に熟練度を要さず、交換時間も少なく、容易に行うことが出来ること、及び、専用の棚や備品等のほか保管と管理のためのスペ−スを要さず、ストレッチフィルムの手巻きロ−ルホルダ−を紙管に挿入したままで保管や管理が出来る。そして、ストレッチフィルムの引っ張り強さを活かして収縮する際の密着力を引き出すために、梱包物への巻き付け作業の途中で、ストレッチフィルムのロ−ルの回転を一時止める機構を備えたストレッチフィルムの、手巻きロ−ルホルダ−を提供することを課題とする。
【課題を解決するための手段】
【００２２】
以上の課題を解決するために、本考案第一の考案は、樹脂系の素材で成形した可動筒ｋｔと内筒ｕｔとこれらを係合する柄ｅ、及び外筒ｓｔの４点の簡素で軽量な部品を組み立てて、ストレッチフィルムのロ−ルの紙管ｋｋに挿入して使用するストレッチフィルムの手巻きロ−ルホルダ−であって、可動筒ｋｔの底部に設けた穴ａに挿入して貫通させた柄ｅを、そのまま内筒ｕｔの、補強板ｈｏに支えられている支柱ｓｕの孔ａｎに挿入して貫通させ、柄ｅの先端に備えている鍔機構ｔｂ2により可動筒ｋｔと内筒ｕｔとを係合させてから、この係合したままの可動筒ｋｔと内筒ｕｔを、ストレッチフィルムのロ−ルの紙管ｋｋに挿入した外筒ｓｔの中に挿入してから、柄ｅの柄頭ｅｈを下押して、可動筒ｋｔの下部の外周に設けた半球状の円環ｅｋ2が、外筒ｓｔの下部の内周に設けている半球状の円環ｅｋ1を越えるまで可動筒ｋｔを下押して、可動筒ｋｔと外筒ｓｔを緩篏させたのち、内筒ｕｔの支柱ｓｕの孔ａｎに挿入した柄ｅの柄頭ｅｈを下押して内筒ｕｔを下押して、外筒ｓｔの内周の下部に設けた内側向きの片側勾配角θ１を有する構造と外筒ｓｔの下部に弾性を持たせるために施された切欠部ｓｋを有する構造により、内筒ｕｔが下押されるに連れて外筒ｓｔの下部が押圧され、外筒ｓｔは拡底して行き、内径の異なる紙管ｋｋにも緩むことなく強く圧着され、さらに可動筒ｋｔの上部の円周部ｋｔｈ1の屈曲外周部ｋｔｈ2の内側に設けた鍔機構ｔｂ1と、可動筒ｋｔの上部の円周部ｋｔｈ1の屈曲外周部ｋｔｈ2に弾性を持たせるために施された切欠部ｓの構造により、可動筒ｋｔを外筒ｓｔの中に押し下げて、外筒ｓｔに可動筒ｋｔを緩く係合させることで、紙管ｋｋと強く圧着している外筒ｓｔの内側で、可動筒ｋｔが自在に回転することを特徴とするストレッチフィルムの手巻きロ−ルホルダ−を提供することである。
【００２３】
また、本考案の第二考案は、紙筒ｋｋに挿入して使用している状態の可動筒ｋｔを互いに反対方向に引っ張ると、可動筒ｋｔの上部円周部ｋｔｈ1の屈曲外周部ｋｔｈ2の内側に設けた鍔機構ｔｂ1により、紙管ｋｋに強く圧着されている外筒ｓｔの上部円周部ｓｔｈの縁と摩擦が生じて、外筒ｓｔと紙管ｋｋ及びストレッチフィルムのロ−ルの回転を任意のところで止めることが出来、このことにより梱包物への巻き付け作業の任意のところで、ストレッチフィルムのロ−ルの回転を一時的に止めて、ストレッチフィルムを引っ張ることが出来ることから、ストレチフィルムの引っ張り強さを活かして、収縮する際の密着力を引き出すことが出来ることを特徴とするストレッチフィルムの手巻きロ−ルホルダ−を提供することである。
【００２４】
また、本考案の第三考案は、内径の異なる紙管ｋｋのストレッチフィルムでも使用することが出来ることを特徴とするストレッチフィルムの手巻きロ−ルホルダ−を提供することである。
【００２５】
また、本考案の第四考案は、簡素で軽量で少ない部品で構成されており、製造工程も少ない仕様にして製品コストも安価に抑えることが出来ることを特徴とするストレッチフィルムの手巻きロ−ルホルダ−を提供することである。
【００２６】
また、本考案の第五考案は、ストレッチフィルムのロ−ル交換に熟練度を要さず、交換時間も少なく容易にロ−ルの交換が出来ることを特徴とするストレッチフィルムの手巻きロ−ルホルダ−を提供することである。
【００２７】
また、本考案の第六考案は、専用の棚などの特別な管理用の備品や、保管と管理するためのスペ−スを要さず、ストレッチフィルムのロールに装着したまま、ストレッチフィルムのロ−ルが納品された時の納品用ダンボ−ル箱ｄｈに収納して保管と管理が出来ることを特徴とするストレッチフィルムの手巻きロ−ルホルダ−を提供することである。
【００２８】
また、本考案の第七考案は、ゴム被膜の手袋を装着したままで使用が出来ることを特徴とするストレッチフィルムの手巻きロ−ルホルダ−を提供することである。
【考案の効果】
【００２９】
本考案の第一考案によれば、樹脂系の素材で成形した可動筒の底部に設けた穴に挿入して貫通させた柄を、そのまま内筒の、補強板に支えられている支柱の孔に挿入して貫通させ、柄の先端に備えている鍔機構により可動筒と内筒とを係合させてから、この係合したままの可動筒と内筒を、ストレッチフィルムのロ−ルの紙管に挿入した外筒の中に挿入してから、柄の柄頭を下押して、可動筒の下部の外周に設けた半球状の円環が、外筒の下部の内周に設けている半球状の円環を越えるまで可動筒を下押して、可動筒と外筒を緩篏させたのち、内筒の支柱の孔に挿入した柄の柄頭を下押して内筒を下押して、外筒の内周の下部に設けた内側向きの片側勾配角を有する構造と外筒の下部に弾性を持たせるために施された切欠部を有する構造により、内筒が下押されるに連れて外筒の下部が押圧され、外筒は拡底して行き内径の異なる紙管にも緩むことなく強く圧着され、さらに可動筒の上部円周部の屈曲外周部の内側に設けた鍔機構と、可動筒の上部の円周部の屈曲外周部に弾性を持たせるために施された切欠部の構造により、可動筒を外筒の中に押し下げて、外筒に可動筒を緩く係合させることで、紙管と強く圧着している外筒の内側で、可動筒が自在に回転するという、利点がある。
【００３０】
本考案の第二考案によれば、梱包物への巻き付け作業の任意のところで、ストレッチフィルムのロ−ルの回転を一時的に止めて、ストレッチフィルムを引っ張ることが出来ることから、ストレチフィルムの引っ張り強さを活かして、収縮する際の密着力を引き出すことが出来るという利点がある。
【００３１】
本考案の第三考案によれば、内筒が下押されるに連れて外筒の下部が押圧され、外筒は拡底して行き内径の異なる紙管にも緩むことなく強く圧着し、さらに可動筒の上部の円周部の屈曲外周部の内側に設けた鍔機構と、可動筒の上部の円周部の屈曲外周部に弾性を持たせるために施された切欠部を有する構造により、可動筒を外筒の中に押し下げて、外筒に可動筒を緩く係合させることにより、紙管と強く圧着している外筒の内側で、可動筒が自在に回転するストレッチフィルムの手巻きロ−ルホルダ−は、内径の異なる紙管のストレッチフィルムにも使用が出来るという利点がある。
【００３２】
本考案の第四考案によれば、樹脂系の素材で成形した可動筒と内筒とこれらを係合する柄、及び外筒の４点の簡素で軽量な部品を組み立てて、ストレッチフィルムのロ−ルの紙管に挿入して使用するストレッチフィルムの手巻きロ−ルホルダ−は、図１１に示す先行技術によるホルダ−ｎ3のような複雑な構造と異なり、簡素で軽量で少ない部品で構成されており、製造工程も少ない仕様にして製品コストも安価に抑えることが出来るという利点がある。
【００３３】
本考案の第五考案によれば、樹脂系の素材で成形した可動筒と内筒とこれらを係合する柄、及び外筒の４点の簡素で軽量な部品を組み立てて、ストレッチフィルムのロ−ルの紙管に挿入して使用するストレッチフィルムの手巻きロ−ルホルダ−は、ストレッチフィルムのロ−ル交換の際に、外筒の中に挿入した内筒と可動筒を一緒に紙管から引き抜き、次のストレッチフィルムのロールに挿入して交換が完了するので、交換作業に熟練度を要さず、交換時間も少なく容易にロ−ルの交換が出来るという利点がある。
【００３４】
本考案の第六考案によれば、ストレッチフィルムのロ−ルの紙管に挿入して使用する本考案のストレッチフィルムの手巻きロ−ルホルダ−ｏｏは、図８に示すように、専用の棚などの特別な管理用の備品および、保管と管理するためのスペ−スを要さず、図９に示す先行技術によるロ−ルホルダ−ｎ1及び図１０に示す先行技術によるホルダ−ｎ2と異なり、ストレッチフィルムのロールに装着したまま、ストレッチフィルムのロ−ルが納品された時の納品用ダンボ−ル箱ｄｈに収納して保管と管理が出来るという利点がある。
【００３５】
本考案の第七考案によれば、紙管と強く圧着している外筒の内側で、可動筒が自在に回転するストレッチフィルムの手巻きロ−ルホルダ−は、図７に示すように、ゴム被膜の手袋を装着したままで使用が出来るという利点がある。
【図面の簡単な説明】
【００３６】
【図１】図１は、本考案のストレッチフィルムの手巻きロ−ルホルダ−を構成する可動筒と内筒と外筒の形状を示す図。（イ）は、可動筒と内筒と外筒とを係合して、ストレッチフィルムのロ−ルに装着した形状を示す図で、（ロ）は、このうち外筒を示す図である。
【図２】図２は、本考案のストレッチフィルムの手巻きロ−ルホルダ−の形状を詳細に示す図である。部分拡大図Ａは、外筒に可動筒が係合している形状を示す図で、部分拡大図Ｂは、可動筒の下部の外周に設けた半球状の円環が、外筒の下部の内周に設けた半球状の円環を越えて、可動筒と外筒が緩篏している状態を示す図で、部分拡大図Ｃは、内筒が下押されて外筒が拡底し、外筒が紙管に押圧され強く圧着されている形状を示す図である。
【図３】図３は、本考案のストレッチフィルムの手巻きロ−ルホルダ−を構成する可動筒の形状を示す図である。（ハ）は、平面図、（ニ）は、下面図、（ホ）は、正面図、部分拡大図Ｄは、可動筒の屈曲外周部の内周に鍔機構を設けている形状を示す図で、部分拡大図Ｅは、可動筒の下部の外側に、半球状の円環を設けている形状を示す図である。
【図４】図４は、本考案のストレッチフィルムの手巻きホルダ−を構成する外筒の形状を示す図で、（ホ）は、正面図、（ヘ）は、下面図、部分拡大図Ｆは、外筒の内周に半球状の円環を設けている形状を示す図、部分拡大図Ｇは、外筒の下部の内側に向けて、片側勾配角θ１を設けている形状を示す図である。
【図５】図５は、本考案のストレッチフィルムの手巻きロ−ルホルダ−を構成する内筒の形状を示す図で、（ト）は、平面図、（チ）は、正面図、（リ）は、斜視図である。
【図６】図６は、本考案のストレッチフィルム手巻きロ−ルホルダ−を構成する内筒の支柱に挿入する柄の構造を示す図で、（ヌ）は、柄の先端に鍔機構を持つ形状を示す図、（ル）は、柄の形状を示す下面図、（ヲ）は、鍔機構をもつ柄を、内筒の持つ支柱の孔に挿入して貫通させて、内筒と柄とが緩篏している形状を示す図である。
【図７】図７は、本考案のストレッチフィルムの手巻きロ−ルホルダ−を、ストレッチフィルムロ−ルに装着して使用している形状を示す図である。
【図８】図８は、本考案のストレッチフィルムの手巻きロ−ルホルダーをストレッチフィルムのロ−ルに装着したまま保管、管理されている形状を示す図で、（ワ）は、本考案のストレッチフィルムの手巻きロールホルダーを装着したまま、床に立てて保管している形状を示す図、（カ）は、本考案のストレッチフィルムの手巻きロールホルダ−をストレッチフィルムのロ−ルに装着したまま、ストレッチフィルムのロ−ルが納品された時のダンボ−ル箱に収納して保管、管理している形状を示す図である。
【図９】図９は、先行技術文献１によるストレッチフィルムのロールホルダ−の形状を示す図である。
【図１０】図１０は、先行技術文献２によるストレッチフィルムのロールホルダ−の形状を示す図である。
【図１１】図１１は、先行技術文献３によるストレッチフィルムのロールホルダ−の形状を示す図である。
【考案を実施するための形態】
【００３７】
以下図面に基ずき、本考案の実施の一形態を説明する。
【００３８】
図１及び図２は、本考案の実施の一形態を示すもので、樹脂系の素材で成形した可動筒ｋｔと内筒ｕｔとこれらを係合する柄ｅ、及び外筒ｓｔの４点の簡素で軽量な部品を組み立てて、ストレッチフィルムのロ−ルの紙管ｋｋに挿入して使用するストレッチフィルムの手巻きロ−ルホルダ−で、図３（ハ）（ニ）に示すように、可動筒ｋｔの底部に設けた穴ａに挿入して貫通させた柄ｅを、図５（ト）（チ）（リ）に示すように、補強板ｈｏに支えられている内筒ｕｔの支柱ｓｕの孔ａｎに挿入して貫通させ、図6（ヌ）（ル）に示すように、柄ｅの先端に備えている鍔機構ｔｂ2により可動筒ｋｔと内筒ｕｔとを係合させてから、図６（ヲ）に示すように、この係合したままの可動筒ｋｔと内筒ｕｔを、図２に示すように、ストレッチフィルムのロ−ルの紙管ｋｋに挿入した外筒ｓｔの中に挿入してから、柄ｅの柄頭ｅｈを下押して、図３の拡大図Ｅに示すように、可動筒ｋｔの下部の外周に設けた半球状の円環ｅｋ2が、図４の拡大図Ｆに示すように、外筒ｓｔの下部の内周に設けている半球状の円環ｅｋ1を越えるまで可動筒ｋｔを下押して、図２の拡大図Ｂに示すように、可動筒ｋｔと外筒ｓｔを緩篏させたのち、内筒ｕｔの支柱ｓｕの孔ａｎに挿入した柄ｅの柄頭ｅｈを下押して内筒ｕｔを下押して、図２の拡大図Ｃと図４の拡大図Ｇに示すように、外筒ｓｔの内周の下部に設けた内側向きの片側勾配角θ１を有する構造と、図１（ロ）と図4（ホ）（ヘ）に示すように、外筒ｓｔの下部に弾性を持たせるために施された切欠部ｓｋを有する構造により、内筒ｕｔが下押されるに連れて外筒ｓｔの下部が押圧されて、外筒ｓｔは拡底して行き、図２に示すように、内径の異なる紙管ｋｋにも緩むことなく強く圧着する。さらに図２の拡大図Ａに示すように、可動筒ｋｔの上部の円周部ｋｔｈ1の屈曲外周部ｋｔｈ2の内側に設けた鍔機構ｔｂ1と、図３の拡大図Ｄに示すように、可動筒ｋｔの上部の円周部ｋｔｈ1の屈曲外周部ｋｔｈ2に弾性を持たせるために施された切欠部ｓの構造により、可動筒ｋｔを外筒ｓｔの中に押し下げて、図２の拡大図Ａと拡大図Ｂに示すように、外筒ｓｔに可動筒ｋｔを緩く係合させることで、図１（イ）に示すように、紙管ｋｋと強く圧着している外筒ｓｔの内側で、可動筒ｋｔが自在に回転するストレッチフィルムの手巻きロ−ルホルダ−を形成する。
【実施形態の効果】
【００３９】
本考案の、実施の一形態の効果として、図２に示すように、可動筒ｋｔと内筒ｕｔは柄ｅの先に施されている鍔機構ｔｂ2により係合されており、さらに外筒ｓｔと可動筒ｋｔは、図２の部分拡大図Ａに示すように、可動筒ｋｔの上部の円周部ｓｔｈの屈曲外周部ｋｔｈ2の内側に施されている鍔機構ｔｂ1により係合されており、柄ｅの柄頭ｅｈを把持して引っ張ることにより、外筒ｓｔは内筒ｕｔによる押圧から解放されて、ストレッチフィルムｓｆのロ−ルの紙管ｋｋへの強い圧着力は緩むことになるので、ストレッチフィルムｓｆのロ−ルの紙管ｋｋから、可動筒ｋｔと内筒ｕｔ及び外筒ｓｔを、一緒に引き抜くことが出来るという利点がある。
【００４０】
また、一度組み立てて使用した後は、可動筒ｋｔと内筒ｕｔ及び外筒ｓｔがセットで扱えるので、ほかのストレッチフィルムのロ−ルと交換する際には、着脱が非常に簡単で、作業の熟練度は不要で、交換時間も短時間で済むという利点がある。
【考案を実施するための他の形態】
【００４１】
本考案の実施の他の形態を説明する
【００４２】
本考案の実施の一形態では、樹脂系の素材を用いて、可動筒ｋｔと内筒ｕｔとこれらを係合する柄ｅ、及び外筒ｓｔの４点の簡素で軽量な部品を成形して、ストレッチフィルムのロ−ルの紙管ｋｋに挿入して使用するとしているものを、実施の他の形態では、硬質なダンボ−ル素材を用いて成形して、実施の一形態と同じ方法でストレッチフィルムの手巻きロ−ルホルダ−を形成する。
【実施の他の形態の効果】
【００４３】
本考案の、実施の他の形態の効果として、樹脂素材より安価なダンボ−ル素材を用いて成形することから、製造コストを抑えることとなり、ストレッチフィルムのロ−ルの紙管に標準的に装着して出荷することも可能となり、ストレッチフィルムの利用者の利便性を満たすことになるという利点がある。
【００４４】
また、本考案の、実施の他の形態の効果として、樹脂素材より安価なダンボ−ル素材を用いて成形されたストレッチフィルムの手巻きロ−ルホルダ−は、使用して摩耗が進み、廃棄するときは、紙管とともにリサイクルの対象にもなり、省資源になり得るという利点がある。
【符号の説明】
【００４５】
ａ  可動筒の底の中央に設けた柄の通し穴。
ａｎ  内筒の支柱の孔。
ｄｈ  ストレッチフィルムロ−ルが納品された時のダンボ−ル箱。
ｅ  柄。
ｅｈ  柄の柄頭。
ｅｋ１  外筒の下部の内周に設けた半球状の円環。
ｅｋ２  可動筒の下部の外周に設けた半球状の円環。
ｈｏ  支柱の補強板。
ｋｋ  紙管。
ｋｔ  可動筒。
ｋｔｈ１  可動筒の上部の円周部。
ｋｔｈ２  可動筒の上部の円周部の屈曲外周部
ｎ１  先行技術文献１によるストレッチフィルムホルダ−
ｎ２  先行技術文献２によるストレッチフィルムホルダ−
ｎ３  先行技術文献３によるストレッチフィルムホルダ−
ｏｏ  本考案の手巻きのロ−ルホルダ−を装着したストレッチフィルムロ−ル。
s  可動筒の上部の円周部の屈曲外周部に施された切欠部
ｓｆ  ストレッチフィルム。
ｓｋ  外筒の下部に施された切欠部。
ｓｔ  外筒。
ｓｔｈ  外筒の上部の円周部。
ｓｕ  支柱。
tb1  可動筒の上部円周部の屈曲外周部の内側に設けた鍔機構。
tb2  柄の先に設けた外向きの鍔機構。
ｕｔ  内筒。
θ１  外筒の下部の内側向きの片側勾配角。